(57)【要約】【課題】ユーザーの操作音声を確実に認識することができるテレビ受信機、及びテレビ受信機の音声認識方法を提供する。【解決手段】ステップＳ１０において、ユーザーが発する操作音声の音声認識を行う。ユーザーの操作音声が認識できた場合には、ステップＳ２０においてテレビ受信機１００が１チャンネルに切り替えられる。ユーザーの操作音声が認識できない場合には、ステップＳ３０においてテレビ受信機１００は音量を下げる制御が行われる。ステップＳ４０において、ユーザーに再度の操作音声を発するように促す表示または音声ガイドが出力される。ステップＳ５０において、ユーザーが再度発する操作音声の音声認識が行われる。ユーザーの操作音声が認識できた場合には、ステップＳ６０においてテレビ受信機１００が１チャンネルに切り替えられる。ステップＳ７０において、テレビ受信機１００の音量を元に戻す制御が行われる。【選択図】図２
2014071124.tif 000002
【特許請求の範囲】
【請求項１】
音声を入力するマイクを備えたテレビ受信機であって、
前記マイクが入力した音声の音声信号からスピーカーが出力する音声の信号を除去するスピーカー音声信号除去手段と、
前記マイクの音声信号から前記スピーカーの音声信号が除去された音声信号から操作音声を認識する音声認識手段と、
前記スピーカーが出力する音声の音量を制御する音量制御手段と、
前記操作音声を発するように促す通知を出力する通知出力手段とを備え、
前記音声認識手段が前記マイクの音声信号から音声の認識ができなかったときに前記音量制御手段により音量を下げ、前記通知出力手段により前記操作音声を発するように促すことを特徴とするテレビ受信機。
【請求項２】
前記音量制御手段は、前記マイクが入力した音声の大きさまたは明瞭度に応じて前記スピーカーの音量を下げることを特徴とする請求項１に記載のテレビ受信機。
【請求項３】
前記音量制御手段により変更された音量は、前記音声認識手段が前記マイクの音声信号から音声認識を終了するときに元の音量に戻されることを特徴とする請求項１または請求項２に記載のテレビ受信機。
【請求項４】
前記通知出力手段は、メッセージの表示、音声ガイドの出力、またはメッセージの表示と音声ガイドの出力の両方であることを特徴とする請求項１から請求項３のいずれか１項に記載のテレビ受信機。
【請求項５】
前記マイクは、常に前記操作音声を入力できる状態であることを特徴とする請求項１から請求項４のいずれか１項に記載のテレビ受信機。
【請求項６】
音声を入力するマイクを備えたテレビ受信機の音声認識方法であって、
前記マイクが入力した音声の音声信号からスピーカーが出力する音声の信号を除去するスピーカー音声信号除去工程と、
前記マイクの音声信号から前記スピーカーの音声信号が除去された音声信号から操作音声を認識する音声認識工程と、
前記スピーカーが出力する音声の音量を制御する音量制御工程と、
前記操作音声を発するように促す通知を出力する通知出力工程とを備え、
前記音声認識工程が前記マイクの音声信号から音声の認識ができなかったときに前記音量制御工程により音量を下げ、前記通知出力工程により前記操作音声を発するように促すことを特徴とするテレビ受信機の音声認識方法。
【発明の詳細な説明】
【技術分野】
【０００１】
本発明は、ユーザーがテレビ受信機を操作するために発する音声（以下、「操作音声」という）の認識を行うテレビ受信機、及びテレビ受信機の音声認識方法に関する。
【背景技術】
【０００２】
マイクロホンが搭載されているテレビ受信機において、ユーザーの操作音声をマイクロホンが集音し、この操作音声に基づいて操作ができるテレビ受信機が普及している。しかし、このマイクロホンは、テレビ受信機が搭載しているスピーカーから出力される音声も集音してしまうため、ユーザーの操作音声のみを集音することが困難であった。このため、ユーザーの操作音声を認識できない、またはテレビ受信機から出力される音声をユーザーの操作音声と誤認識することがあった。この対策として、テレビ受信機のマイクロホンが集音した音声からテレビ受信機のスピーカーが出力する音声を取り除く（以下、「音声を除去する」という）ようにすることで、ユーザーの操作音声を認識し、認識したユーザーの操作音声によってテレビ受信機を操作するようにしていた。
【０００３】
特許文献１は、音声入力装置のマイクロホンが入力した音声信号に重畳されるオーディオ音信号を除去する技術である。特許文献１の音声入力装置は、オーディオ装置と音声認識装置に接続され、トークスイッチが押下されたときに、オーディオ装置から入力するオーディオ音信号の信号レベルが所定値以下である場合には、オーディオ音の音量を低下させることなくマイクロホンが入力した入力音声信号からオーディオ音信号に対応する成分の除去処理を行い、オーディオ音信号の信号レベルが所定値を超える場合には、オーディオ音の音量低下を必要最小限に抑えながらマイクロホンが入力した入力音声信号からオーディオ音信号に対応する成分の除去処理を行うようにすることで、オーディオ音の出力を必要以上に中断または低下させることなく入力音声信号からオーディオ音信号に対応する成分を除去した信号を音声認識装置に出力する音声入力装置を提供している。
【先行技術文献】
【特許文献】
【０００４】
【特許文献１】特開２００１−２３６０９０号公報
【発明の概要】
【発明が解決しようとする課題】
【０００５】
このような特許文献１の音声入力装置では、トークスイッチを設け、ユーザーが音声を入力するときにトークスイッチを押下する操作が必要となる。また、ユーザーの声が小さい、または発音が不明瞭であるときには、音声入力装置がオーディオ音を除去して抽出した入力音声を音声認識装置が認識できないことがある。
【０００６】
本発明はこのような状況に鑑みてなされたものであり、上記課題を解決できるテレビ受信機、及びテレビ受信機の音声認識方法を提供することを目的とする。
【課題を解決するための手段】
【０００７】
本発明のテレビ受信機は、音声を入力するマイクを備えたテレビ受信機であって、前記マイクが入力した音声の音声信号からスピーカーが出力する音声の信号を除去するスピーカー音声信号除去手段と、前記マイクの音声信号から前記スピーカーの音声信号が除去された音声信号から操作音声を認識する音声認識手段と、前記スピーカーが出力する音声の音量を制御する音量制御手段と、前記操作音声を発するように促す通知を出力する通知出力手段とを備え、前記音声認識手段が前記マイクの音声信号から音声の認識ができなかったときに前記音量制御手段により音量を下げ、前記通知出力手段により前記操作音声を発するように促すことを特徴としている。
また、本発明のテレビ受信機の前記音量制御手段は、前記マイクが入力した音声の大きさまたは明瞭度に応じて前記スピーカーの音量を下げることを特徴としている。
また、本発明のテレビ受信機の前記音量制御手段により変更された音量は、前記音声認識手段が前記マイクの音声信号から音声認識を終了するときに元の音量に戻されることを特徴としている。
また、本発明のテレビ受信機の前記通知出力手段は、メッセージの表示、音声ガイドの出力、またはメッセージの表示と音声ガイドの出力の両方であることを特徴としている。
また、本発明のテレビ受信機の前記マイクは、常に前記操作音声を入力できる状態であることを特徴としている。
本発明のテレビ受信機の音声認識方法は、音声を入力するマイクを備えたテレビ受信機の音声認識方法であって、前記マイクが入力した音声の音声信号からスピーカーが出力する音声の信号を除去するスピーカー音声信号除去工程と、前記マイクの音声信号から前記スピーカーの音声信号が除去された音声信号から操作音声を認識する音声認識工程と、前記スピーカーが出力する音声の音量を制御する音量制御工程と、前記操作音声を発するように促す通知を出力する通知出力工程とを備え、前記音声認識工程が前記マイクの音声信号から音声の認識ができなかったときに前記音量制御工程により音量を下げ、前記通知出力工程により前記操作音声を発するように促すことを特徴としている。
【発明の効果】
【０００８】
本発明は、テレビ受信機に搭載されるマイクロホンから入力されるユーザーの操作音声の認識が失敗したときに、テレビ受信機のスピーカーから出力する音声の音量を下げた状態でユーザーに操作音声を再び発するように促すことによって、ユーザーの操作音声により確実にテレビ受信機の操作を行うことができ、また、ユーザーが操作音声を発するときに手動による操作を行う必要のないテレビ受信機、及びテレビ受信機の音声認識方法を提供する。
【図面の簡単な説明】
【０００９】
【図１】本発明の実施形態に係るテレビ受信機の正面図である。
【図２】本発明の実施形態に係るテレビ受信機の音声認識手順を説明する図である。
【図３】本発明の実施形態に係るテレビ受信機の機能構成を示す図である。
【図４】本発明の実施形態に係るテレビ受信機における音声認識制御処理のフローチャートである。
【発明を実施するための形態】
【００１０】
以下、本発明を実施するための形態（以下、「実施形態」という）について図面を参照して説明する。本発明は、テレビ受信機に搭載されるマイクロホン（以下、「マイク」という）が常に集音し、マイクが音声を入力したと判定したときにユーザーの操作音声を認識し、操作音声の認識が失敗した場合にはテレビ受信機のスピーカーから出力する音声の音量を下げた状態で、ユーザーに操作音声を再び発するように促すものである。
【００１１】
まず、本実施形態におけるテレビ受信機１００の構造について、図１のテレビ受信機１００の正面図を用いて説明する。図１に示すようにテレビ受信機１００には左右の２つのスピーカーと、左右のスピーカーの間に１つのマイクが設置されている。スピーカーは、テレビ受信機１００の音声を出力する。マイクは常に集音状態であり、操作音声が入力される。このような構造のテレビ受信機１００において、ユーザーが発する操作音声をマイクが入力するときに左右のスピーカーの音声も入力され、また、ユーザーが操作音声を発しないときにも左右のスピーカーの音声が入力されてしまうことがある。
【００１２】
次に、本実施形態におけるテレビ受信機１００の音声認識手順の概要について、図２を用いてステップ順に説明する。図２（ａ）と図２（ｂ）は、ユーザーが発する音声であり、図２（ｃ）はテレビ受信機１００における音声認識手順の概要を示している。
図２（ａ）に示すようにユーザーが「１チャンネル」と操作音声を発すると、図２（ｃ）のステップＳ１０において、ユーザーが発する操作音声の音声認識を行う。ユーザーの操作音声が認識できた場合にはステップＳ２０に進み、ユーザーの操作音声が認識できない場合にはステップＳ３０に進む。ユーザーの操作音声が認識できない場合とは、音声の取得はできるが、音声信号のレベルが低く音声認識ができない、テレビ受信機１０の音量が大きくユーザーの操作音声がかき消され音声認識ができないなどの場合である。ステップＳ２０においては、テレビ受信機１００は１チャンネルに切り替えるコマンド処理を実行する。ステップＳ３０においては、テレビ受信機１００は出力する音声の音量を下げる制御処理を行う。次いで、ステップＳ４０においては、テレビ受信機１００はユーザーに再度の操作音声を発するように促す表示または音声ガイドを出力する。そして、図２（ｂ）に示すようにユーザーが「１チャンネル」と再度の操作音声を発すると、ステップＳ５０において、ユーザーが再度発する操作音声の音声認識を行う。ユーザーの操作音声が認識できた場合にはステップＳ６０に進む。ステップＳ６０においては、テレビ受信機１００は１チャンネルに切り替えるコマンド処理を実行する。ステップＳ７０においては、テレビ受信機１００は音量を元に戻す制御処理を行う。なお、ステップＳ５０において、ユーザーの操作音声が認識できない場合には、ステップ３０に戻る。しかし、ユーザーの音声認識が予め決められた回数以上失敗したときには、音量を元に戻して音声認識を終了する。
【００１３】
次に、テレビ受信機１００の機能構成について、図３を用いて説明する。図３に示すように、テレビ受信機１００は、デジタルチューナ１０１、ＴＳ（トランスポートストリーム）デコーダ１０２、音声処理部１０３、音声出力処理部１０４、スピーカー部１０５、映像処理部１０６、ＯＳＤ処理部１０７、表示処理部１０８、表示部１０９、リモコン受光部１１０、通信制御Ｉ／Ｆ部１１１、制御部１１２、音声認識部１１３、スピーカー音声除去部１１４、マイク部１１５、及びシステムバス１１６から構成されている。また、制御部１１２には、音声認識制御処理部１１２ａが設けられている。
【００１４】
デジタルチューナ１０１には、デジタル放送電波を受信するアンテナ１２０が接続され、デジタルチューナ１０１は、このアンテナ１２０からデジタル放送電波を入力し、これらの放送電波をトランスポートストリームパケット（ＴＳパケット）に復調し、ＴＳデコーダ１０２に出力する。ＴＳデコーダ１０２は、このＴＳパケットから所望の番組放送の映像音声ストリーム、番組情報を抽出する。抽出された所望の番組放送の映像音声ストリーム、番組情報は、ＭＰＥＧ−２によって符号化されているデジタルデータである。
【００１５】
音声処理部１０３は、符号化された映像音声ストリームから音声データを復号し、復号した音声データを音声出力処理部１０４に出力する。音声出力処理部１０４は、音声処理部１０３から出力される音声データを入力するとスピーカー部１０５が処理可能な音声信号に変換し、スピーカー部１０５に出力する。また、音声出力処理部１０４は、制御部１１２から出力される操作音声を発するように促す音声ガイドなどの音声信号を入力すると、スピーカー部１０５に出力する。スピーカー部１０５は、音声出力処理部１０４から音声信号を入力すると、テレビ受信機１００に設けられたスピーカーから音声を出力する。
【００１６】
映像処理部１０６は符号化された映像音声ストリームから映像データを復号し、復号した映像データを表示処理部１０８に出力する。ＯＳＤ処理部１０７は、制御部１１２から出力される操作音声を発するように促すメッセージの映像データをＯＳＤ信号として表示処理部１０８に出力する。表示処理部１０８は、映像処理部１０６からの映像データとＯＳＤ処理部１０７からのＯＳＤ信号を重ね合せて表示部１０９が処理可能な映像信号に変換し、表示部１０９に出力する。表示部１０９は、表示処理部１０８から映像信号を入力すると、テレビ受信機１００のパネルに映像を表示する。
【００１７】
リモコン受光部１１０は、リモコン１３０に設けられた操作ボタンをユーザーが操作することでリモコン１３０から送信される赤外線による操作信号を受光する。通信制御Ｉ／Ｆ部１１１は、テレビ受信機１００が電話回線やＬＡＮ（Local Area Network）などにより通信を行うための信号を送受信するインターフェース部である。制御部１１２は、テレビ受信機１００全体を制御する。制御部１１２は、リモコン受光部１１０から入力するユーザーの操作信号、または音声認識部１１３から入力するユーザーの操作音声に基づき放送チャンネルやデータ放送の切り替え、出力する音声の音量の制御を行う。制御部１１２の音声認識制御処理部１１２ａが実行する音声認識制御処理については、後述する。マイク部１１５は、テレビ受信機１００に電源が投入されると、常に集音し、マイク部１１５が音声を入力すると、制御部１１２に音声を入力したことを通知する。マイク部１１５は、入力した音声を音声信号に変換すると、スピーカー音声除去部１１４に出力する。ユーザーが発する操作音声をマイク部１１５が入力するときに、スピーカー部１０５から音声が出力された場合には、マイク部１１５の音声信号にスピーカー部１０５の音声信号が重畳される。スピーカー音声除去部１１４は、マイク部１１５から入力した音声信号にスピーカー部１０５の音声信号が重畳されているときには、スピーカー部１０５の音声信号を除去した音声信号を音声認識部１１３に出力する。音声認識部１１３は、スピーカー部１０５の音声信号が除去された音声信号を入力すると、音声を解析し操作のキーワードを取り出す。音声認識部１１３が音声の解析に成功したときには、「解析成功」の通知を信号Ａに設定し、また解析した操作のキーワードを信号Ｂに設定し、制御部１１２に出力する。また、音声認識部１１３が音声の解析に失敗したときには、「解析失敗」の通知を信号Ａに設定し、制御部１１２に出力する。以上の各部１０１〜１１５はシステムバス１１６により接続されている。
【００１８】
次に、テレビ受信機１００における制御部１１２の音声認識制御処理部１１２ａが実行する音声認識制御処理について説明する。テレビ受信機１００の電源が投入されると、制御部１１２は音声認識制御処理部１１２ａを予め決められた周期で起動する。音声認識制御処理部１１２ａが起動されると、音声認識制御処理部１１２ａが音声認識制御処理を開始する。以下、図４の音声認識制御処理のフローチャートに示すステップ順に説明する。
【００１９】
（ステップＳ１０１）
まず、音声認識制御処理部１１２ａは、失敗回数カウンターに「１」を設定し、初期化する。
【００２０】
（ステップＳ１０２）
次いで、音声認識制御処理部１１２ａは、マイク部１１５からの通知によりマイク部１１５が音声を入力したかを判定する。マイク部１１５が音声を入力したとき（ステップＳ１０２のＹｅｓ）は、ステップＳ１０３に進む。マイク部１１５が音声を入力していないとき（ステップＳ１０２のＮｏ）は、ステップＳ１１３に進む。
【００２１】
（ステップＳ１０３）
ステップＳ１０２がＹｅｓであるときに、音声認識制御処理部１１２ａは、音声認識部１１３から「信号Ａ」を入力する。
【００２２】
（ステップＳ１０４）
次いで、音声認識制御処理部１１２ａは、「信号Ａ」に「解析成功」の通知が設定されているかを判定する。「信号Ａ」に「解析成功」の通知が設定されているとき（ステップＳ１０４のＹｅｓ）は、ステップＳ１０５に進む。「信号Ａ」に「解析成功」の通知でなく「解析失敗」の通知が設定されているとき（ステップＳ１０４のＮｏ）は、ステップＳ１０７に進む。
【００２３】
（ステップＳ１０５）
ステップＳ１０４がＹｅｓであるときに、音声認識制御処理部１１２ａは、音声認識部１１３から「信号Ｂ」を入力する。
【００２４】
（ステップＳ１０６）
次いで、音声認識制御処理部１１２ａは、「信号Ｂ」に設定された操作のキーワードに基づいてテレビ受信機１００を制御する。
【００２５】
（ステップＳ１０７）
ステップＳ１０４がＮｏであるときに、音声認識制御処理部１１２ａは、失敗回数カウンターが規定回数以上であるかを判定する。失敗回数カウンターが規定回数以上であるとき（ステップＳ１０７のＹｅｓ）は、ステップＳ１１１に進む。失敗回数カウンターが規定回数以上でないとき（ステップＳ１０７のＮｏ）は、ステップＳ１０８に進む。
【００２６】
（ステップＳ１０８）
次いで、音声認識制御処理部１１２ａは、スピーカー部１０５に予め決められた音量を下げる制御を行う。
【００２７】
（ステップＳ１０９）
次いで、音声認識制御処理部１１２ａは、操作音声を発するように促すメッセージの映像データを生成し、ＯＳＤ処理部１０７に出力する。ＯＳＤ処理部１０７は、操作音声を発するように促すメッセージの映像データをＯＳＤ信号として表示処理部１０８に出力し、表示処理部１０８は、映像処理部１０６から出力される映像データに重ね合わせて表示部１０９に出力する。表示部１０９は、操作音声を発するように促すメッセージを表示する。
【００２８】
（ステップＳ１１０）
次いで、音声認識制御処理部１１２ａは、失敗回数カウンターに「１」を加算すると、ステップ１０２に戻る。
【００２９】
（ステップＳ１１１）
ステップＳ１０６の次であるとき、またはステップＳ１０７がＹｅｓであるときに、音声認識制御処理部１１２ａは、スピーカー部１０５の音量が変更されているかを判定する。スピーカー部１０５の音量が変更されているとき（ステップＳ１１１のＹｅｓ）は、ステップＳ１１２に進む。スピーカー部１０５の音量が変更されていないとき（ステップＳ１１１のＮｏ）は、音声認識制御処理部１１２ａは、音声認識制御処理を終了する。
【００３０】
（ステップＳ１１２）
次いで、音声認識制御処理部１１２ａは、スピーカー部１０５の音量を音声認識制御処理が開始したときの音量に戻す制御を行う。そして、音声認識制御処理部１１２ａは、音声認識制御処理を終了する。
【００３１】
（ステップＳ１１３）
ステップＳ１０２がＮｏであるときに、音声認識制御処理部１１２ａは、一定時間待ち状態とし、ステップＳ１０２に戻る。
【００３２】
なお、本実施形態の音声認識制御処理部１１２ａが実行する音声認識制御処理における失敗回数カウンターの規定回数は、ユーザーが任意に設定することが可能である。また、音声認識制御処理において、操作音声を発するように促すメッセージを表示部１０９に表示するようにしたが、これに替えて操作音声を発するように促す音声ガイドをスピーカー部１０５から出力することも可能である。また、操作音声を発するように促すメッセージを表示部１０９に表示と操作音声を発するように促す音声ガイドをスピーカー部１０５から出力の両方を行うようにすることも可能である。また、音声認識制御処理において、スピーカーの音量を下げる量についても、ユーザーが任意に設定することが可能であり、また、ユーザーの音声の大きさ、または発音の明瞭度に応じてスピーカーの音量を下げる量を可変にすることも可能である。
【００３３】
このような実施形態によれば、テレビ受信機１００のマイク部１１５は常に音声を入力できる状態であるので、ユーザーが操作音声を発する前に、トークスイッチなどを押下する操作が不要となる。従って、テレビ受信機１００にトークスイッチなどを設ける必要がない。また、音声認識部１１３がユーザーの声が小さい、または発音が不明瞭などの理由で音声認識を失敗した場合では、音量を下げ、再びユーザーに操作音声を発するように促すメッセージの表示または音声ガイドを出力するので、次にユーザーが発する声が大きくなりまた発音が明瞭となることで、音声認識部１１３が音声認識を成功させる確率を高くすることができる。音声認識制御処理部１１２ａは、音声の解析のために下げたスピーカー部１０５の音量を元の音量に戻すので、ユーザーによるスピーカー部１０５の音量を元に戻す操作が不要となる。
【００３４】
以上により、本発明は、テレビ受信機に搭載されるマイクロホンから入力されるユーザーの操作音声の認識が失敗したときに、テレビ受信機のスピーカーから出力する音声の音量を下げた状態でユーザーに操作音声を再び発するように促すことによって、ユーザーの操作音声により確実にテレビ受信機の操作を行うことができ、また、ユーザーが操作音声を発するときに手動による操作を行う必要のないテレビ受信機、及びテレビ受信機の音声認識方法を提供することができる。
【００３５】
以上、具体的な実施の形態により本発明を説明したが、上記実施の形態は本発明の例示であり、この実施の形態に限定されないことは言うまでもない。
【産業上の利用可能性】
【００３６】
本発明は、テレビ受信機、及びテレビ受信機の音声認識方法に好適であるが、テレビ受信機だけでなく音声により操作ができる装置一般に適用可能である。
【符号の説明】
【００３７】
１００・・・・・テレビ受信機
１０１・・・・・デジタルチューナ
１０２・・・・・ＴＳ（トランスポートストリーム）デコーダ
１０３・・・・・音声処理部
１０４・・・・・音声出力処理部
１０５・・・・・スピーカー部
１０６・・・・・映像処理部
１０７・・・・・ＯＳＤ処理部
１０８・・・・・表示処理部
１０９・・・・・表示部
１１０・・・・・リモコン受光部
１１１・・・・・通信制御Ｉ／Ｆ部
１１２・・・・・制御部
１１２ａ・・・・音声認識制御処理部
１１３・・・・・音声認識部
１１４・・・・・スピーカー音声除去部
１１５・・・・・マイク部
１１６・・・・・システムバス
１２０・・・・・アンテナ
１３０・・・・・リモートコントローラ
【図１】
2014071124.tif 000003
【図２】
2014071124.tif 000004
【図３】
2014071124.tif 000005
【図４】
2014071124.tif 000006